【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記始動操作手段の操作を条件の１つとして役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記各周回体が停止した際、所定絵柄又は所定絵柄の組合せが前記有効位置に停止した場合に遊技媒体を払い出す払出手段と、
所定の開始条件が成立した場合に、所定の終了条件が成立するまで、遊技状態を遊技者に有利な第１特別遊技状態に移行させる第１特別遊技状態移行手段と
を備え、
前記駆動制御手段は、遊技状態が前記第１特別遊技状態である場合に、前記抽選手段の抽選結果が非当選であっても前記所定絵柄又は所定絵柄の組合せが前記有効位置に停止し得るよう前記各駆動手段を駆動制御する遊技機において、
前記第１特別遊技状態に移行してから前記払出手段により払い出された遊技媒体数が予め定めた数に達したか否かを判断し、予め定めた数に達した場合には当該第１特別遊技状態の前記終了条件成立と判定する終了判定手段と、
前記各周回体が停止した際、再遊技絵柄の組合せが前記有効位置に停止した場合に、次ゲームを無償で遊技できる再遊技の権利を付与する再遊技権利付与手段と、
遊技状態が前記第１特別遊技状態である場合に、前記再遊技絵柄の組合せと対応する役の抽選に当選する確率を高確率とする当選確率変更手段と
を備え、
前記駆動制御手段は、
遊技状態が前記第１特別遊技状態である場合に、前記抽選手段の抽選結果に関わらず、前記所定絵柄又は所定絵柄の組合せが前記有効位置に停止するよう前記各駆動手段を停止駆動制御する第１停止駆動制御手段と、
遊技状態が前記第１特別遊技状態である場合に、前記抽選手段の抽選結果に基づいて、当選した役と対応する絵柄又は絵柄の組合せが前記有効位置に停止し得るよう前記各駆動手段を停止駆動制御する第２停止駆動制御手段と、
前記各停止駆動制御手段のいずれに前記各駆動手段を停止駆動制御させるかを選択する停止駆動選択手段と
を備え、
前記停止駆動選択手段は、前記複数種の絵柄のうち予め設定された設定絵柄が所定位置を通過するタイミングで前記停止操作手段が操作された場合に前記第１停止駆動制御手段を選択し、前記タイミングで前記停止操作手段が操作されなかった場合には前記第２停止駆動制御手段を選択することを特徴とする遊技機。
【請求項２】
前記有効位置に第３特定絵柄の組合せが停止した場合に、所定の終了条件が成立するまで、遊技状態を前記第１特別遊技状態と比して遊技者の有利度合いの小さな第３特別遊技状態に移行させる第３特別遊技状態移行手段を備え、
前記抽選手段は、遊技状態が前記第１特別遊技状態である場合に、前記第３特定絵柄の組合わせと対応する役の抽選を行っており、
前記終了判定手段は、前記抽選手段による抽選結果が前記第３特定絵柄の組合せと対応する役の当選である場合にも前記第１特別遊技状態の前記終了条件成立と判定することを特徴とする請求項１に記載の遊技機。
【請求項３】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記始動操作手段の操作を条件の１つとして役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記各周回体が停止した際、所定絵柄又は所定絵柄の組合せが前記有効位置に停止した場合に遊技媒体を払い出す払出手段と、
所定の開始条件が成立した場合に、所定の終了条件が成立するまで、遊技状態を遊技者に有利な第１特別遊技状態に移行させる第１特別遊技状態移行手段と、
前記有効位置に第２特定絵柄の組合せが停止した場合に、所定の終了条件が成立するまで、遊技状態を遊技者に有利な第２特別遊技状態に移行させる第２特別遊技状態移行手段と
を備え、
前記駆動制御手段は、遊技状態が前記第１特別遊技状態である場合に、前記抽選手段の抽選結果が非当選であっても前記所定絵柄又は所定絵柄の組合せが前記有効位置に停止し得るよう前記各駆動手段を駆動制御する遊技機において、
遊技状態が前記第１特別遊技状態である場合、前記抽選手段の抽選結果が少なくとも前記第２特定絵柄の組合せと対応する役の当選とならないように抽選結果を限定する抽選結果限定手段と、
前記第１特別遊技状態に移行してから前記払出手段により払い出された遊技媒体数が予め定めた数に達したか否かを判断し、予め定めた数に達した場合には当該第１特別遊技状態の前記終了条件成立と判定する終了判定手段と、
前記各周回体が停止した際、再遊技絵柄の組合せが前記有効位置に停止した場合に、次ゲームを無償で遊技できる再遊技の権利を付与する再遊技権利付与手段と、
遊技状態が前記第１特別遊技状態である場合に、前記再遊技絵柄の組合せと対応する役の抽選に当選する確率を高確率とする当選確率変更手段と
を備え、
前記駆動制御手段は、
遊技状態が前記第１特別遊技状態である場合に、前記抽選手段の抽選結果に関わらず、前記所定絵柄又は所定絵柄の組合せが前記有効位置に停止するよう前記各駆動手段を停止駆動制御する第１停止駆動制御手段と、
遊技状態が前記第１特別遊技状態である場合に、前記抽選手段の抽選結果に基づいて、当選した役と対応する絵柄又は絵柄の組合せが前記有効位置に停止し得るよう前記各駆動手段を停止駆動制御する第２停止駆動制御手段と、
前記各停止駆動制御手段のいずれに前記各駆動手段を停止駆動制御させるかを選択する停止駆動選択手段と
を備え、
前記停止駆動選択手段は、前記複数種の絵柄のうち予め設定された設定絵柄が所定位置を通過するタイミングで前記停止操作手段が操作された場合に前記第１停止駆動制御手段を選択し、前記タイミングで前記停止操作手段が操作されなかった場合には前記第２停止駆動制御手段を選択することを特徴とする遊技機。
【請求項４】
前記有効位置に第３特定絵柄の組合せが停止した場合に、所定の終了条件が成立するまで、遊技状態を前記第２特別遊技状態と比して遊技者の有利度合いの小さな第３特別遊技状態に移行させる第３特別遊技状態移行手段を備え、
前記抽選手段は、遊技状態が前記第１特別遊技状態である場合に、前記第３特定絵柄の組合わせと対応する役の抽選を行っており、
前記終了判定手段は、前記抽選手段による抽選結果が前記第３特定絵柄の組合せと対応する役の当選である場合にも前記第１特別遊技状態の前記終了条件成立と判定することを特徴とする請求項３に記載の遊技機。
【請求項５】
前記設定絵柄を前記複数の周回体のうち１の周回体について設定したことを特徴とする請求項１乃至４のいずれか１項に記載の遊技機。
【請求項６】
前記停止駆動選択手段は、前記設定絵柄の設定された周回体と対応する停止操作手段が最初に操作されなかった場合、当該ゲームの停止駆動制御を行う停止駆動制御手段として、前記第２停止駆動制御手段を選択することを特徴とする請求項５に記載の遊技機。
【請求項７】
前記第２停止駆動制御手段は、前記設定絵柄の設定された周回体と対応する停止操作手段が最初に操作され、且つ前記抽選手段の抽選結果が前記再遊技絵柄の組合せと対応する役の当選である場合、該再遊技絵柄の組合せが前記有効位置に停止するよう前記各駆動手段を停止駆動制御することを特徴とする請求項５又は６に記載の遊技機。
【請求項８】
遊技状態が前記第１特別遊技状態である場合に、前記設定絵柄の設定された周回体と対応する停止操作手段を最初に操作するよう教示する操作順序教示手段を備えることを特徴とする請求項５乃至７のいずれか１項に記載の遊技機。